(57)【要約】【課題】  本発明は、緊急時の救援要請に際して、ＱＱボタン・スイッチを２段階操作の下で操作することによって、ＧＰＳ機能を介して、あるいはタグ読取り機能を介して、測位データを通報できるようにし、また損害保険会社と交信できるようにすることを目的としている。【解決手段】  損害保険会社が無償で譲渡あるいは貸与した携帯電話機において、ＱＱボタン・スイッチとして赤ボタンと青ボタンとを設け、測位データの取得に当たって、ＧＰＳ機能とタグ読取り機能とのより早い方を利用するようにし、かつ損害保険会社の交信に当たって、損害保険会社からのプリント要求にもとづき、当該携帯電話機を損害保険会社の本支店・代理店に提示してプリント出力を得る。【選択図】    図２
2006229920.tif 000002
【特許請求の範囲】
【請求項１】
携帯電話機の面に、少なくとも２種類の救援要請用のＱＱボタン・スイッチをもうけると共に、
当該ＱＱボタン・スイッチは、第１段階の移動を伴う操作と第２段階の移動を伴う操作との連続操作によって、上記救援要請を発動するよう構成され、
当該携帯電話機にもうけられている、
当該携帯電話機が存在している位置を表す測位データを取得する測位データ入手手段として用いる、少なくとも、全地球測位システム（ＧＰＳ）機能を用いて当該測位データを入手するＧＰＳ送受部と、
前記ＱＱボタン・スイッチの連続操作によって発動された救援要請に対応した救援要請先を特定する通信先情報と、当該救援要請先に対する救援要請用データとを、少なくとも、格納したメモリと、
前記救援要請先に送信する送信データを作成する送信データ作成部と、
当該救援要請先を特定する通信先情報にもとづいて、当該救援要請先に対して交信を行う交信手段と、
当該交信の内容の一部または全部を可視的に表示する表示部と
を備える
ことを特徴とするＧＰＳ連動緊急通報機構つき携帯電話機。
【請求項２】
前記救援要請先を特定する通信先情報として、少なくとも、警察に救援要請を行う「１１０番」と消防に救援要請を行う「１１９番」と契約済の損害保険会社あての通信先情報を用意されており、
前記２種類のＱＱボタン・スイッチのうちの１種類のＱＱボタン・スイッチの前記連続操作によって、前記交信手段が当該契約済の損害保険会社と交信するようにした
ことを特徴とする請求項１記載のＧＰＳ連動緊急通報機構つき携帯電話機。
【請求項３】
前記ＱＱボタン・スイッチの連続操作に対応して、閃光と音響と音声とによるいずれか１種類または複数種類のＳＯＳ送出手段を有することを特徴とする請求項１記載のＧＰＳ連動緊急通報機構つき携帯電話機。
【請求項４】
前記測位データ入手手段として、
測位データが記述された状態で貼布されている測位タグから当該測位タグ上の測位データを読取る測位タグ読取り部と、測位データが内蔵されているＩＣタグと情報を送受して当該ＩＣタグ内の測位データを取得するＩＣタグ情報送受部との、いずれか一方または両方を有する
ことを特徴とする請求項１記載のＧＰＳ連動緊急通報機構つき携帯電話機。
【請求項５】
契約済の損害保険会社との間で交信可能にされた交信手段と、
当該交信の内容の一部または全部を可視的に表示する表示部と
を備える携帯電話機において、
前記損害保険会社が発した交信内容を記録し保持するメモリをもうけ、
当該メモリ上に、前記損害保険会社が発した交信内容についてプリント出力することを許可あるいは拒否するプリント可否情報を、当該交信内容を特定する情報と組にして保持するよう構成され、
前記損害保険会社の本支店・代理店において当該携帯電話機が提示された際に、前記プリント可否情報が読出されて正当性がチェックされ、正当な場合に前記交信内容を特定する情報に対応した所の前記損害保険会社が発した交信内容をプリント出力の実行に対応して、当該プリント出力済み情報あるいはプリント出力回数更新情報を前記メモリ上に記録される
ことを特徴とする携帯電話機。
【請求項６】
携帯電話機内に契約済の損害保険会社が秘密裡に組込んだ秘密情報付加手段をそなえると共に、
当該契約済の損害保険会社が秘密裡に組込んだ秘密情報をもとに当該損害保険会社との交信にあたって当該交信の正当性をチェックする正当性チェック手段を有する
ことを特徴とする請求項５記載の携帯電話機。
【発明の詳細な説明】
【技術分野】
【０００１】  本発明は、携帯電話機およびＧＰＳ連動緊急通報機構つき携帯電話機と損害保険証券との合体、運用、配布に関するものである。【０００２】  携帯電話の緊急通報に際し必要な位置情報を簡易迅速に付加して、通報の目的を効果的にする手段としてＱＱボタンを提供する携帯電話機に関する。
【背景技術】
【０００３】  救援要請時に携帯電話機を用いて位置情報を通報するという考えは、例えば特許文献１などにおいて提案されているが、現在発表されかつ一般市場において販売されている携帯電話機は、緊急時に、正確、簡易な操作で１１０番あるいは１１９番にあてて、誤りなく迅速に発信通話できる機構を持っていない。【０００４】  このため、災害時等の救援通報に当たって、所持者の状況、所在を有効正確に、周囲に伝達する手段は、現在の所、有効なものはない。さらに交通事故等に遭遇した場合、契約済の損害保険会社のコールセンタに対して、正確迅速に事故状況を報告し、かつ必要な支援を要請することが望まれるが、そのような機能をもつものはない。また現行の自動車保険等損害保険の分野で、契約満期とともに破棄される膨大な量の保険証券をデジタル化し、ペーパーレス化を計るに当たって携帯電話機を利用するようにしたものはない。
【特許文献１】実用新案登録第３０７０７７６号
【発明の開示】
【発明が解決しようとする課題】
【０００５】  現在、携帯電話機は国内での普及実数は８０００万台を数える。警察庁資料によれば、平成１６年中の１１０番件数は９５０万件を超え、内携帯電話からの通報は５７％約５００万件に達する。この事実から、個別の携帯電話機に「緊急通報機構」を付帯して通報の迅速化を計ることは人命救助あるいは犯罪防止等に貢献することは多大である。また地震等大規模災害時には、きわめて有効な救難活動の手段となる。また「緊急通報機構」の発動に発信者の正確な位置情報を付加するＧＰＳの応用により、救援要請に際して位置の通報が正確かつ容易となり、国民の生命や財産の損失を抑止することができる。また例えば自動車保険証券は年間６０００万件発行され、その９０％が１年の満期後ゴミとして破棄されているが、このような証券の発行に当たって可能な限り郵便による手配を抑止しかつ必要最小限でペーパーレス化を計ることができる。
【課題を解決するための手段】
【０００６】  本発明は、携帯電話機の面に、少なくとも２種類の救援要請用のＱＱボタン・スイッチをもうけると共に、
当該ＱＱボタン・スイッチは、第１段階の移動を伴う操作と第２段階の移動を伴う操作との連続操作によって、上記救援要請を発動するよう構成され、
当該携帯電話機にもうけられている、
当該携帯電話機が存在している位置を表す測位データを取得する測位データ入手手段として用いる、少なくとも、全地球測位システム（ＧＰＳ）機能を用いて当該測位データを入手するＧＰＳ送受部と、
前記ＱＱボタン・スイッチの連続操作によって発動された救援要請に対応した救援要請先を特定する通信先情報と、当該救援要請先に対する救援要請用データとを、少なくとも、格納したメモリと、
前記救援要請先に送信する送信データを作成する送信データ作成部と、
当該救援要請先を特定する通信先情報にもとづいて、当該救援要請先に対して交信を行う交信手段と、
当該交信の内容の一部または全部を可視的に表示する表示部と
を備えることを特徴としている。
【発明の効果】
【０００７】  本発明によれば、
（イ）緊急時に複雑な操作を必要とせず、正確迅速に緊急通報の目的を達成できる。
（ロ）また地震等災害時に携帯電話機所持者が、閉じ込められた場合電波発信、ブザーの断続吹鳴、閃光発光により、所在発見、救出作業を容易ならしめる。
（ハ）さらに幼児高齢者等が危難に遭遇した場合、緊急通報発信のための操作が簡単であるから、これらの救急に役立つ。
（ニ）損害保険会社のコールセンタの電話番号は、すべて所謂フリーダイヤルを採用し例えば０１２０−ＡＢＣ−ＸＹＺというものである。しかし事故等に動転した当事者にとって正確を期し難い。したがって、当該０１２０−ＡＢＣ−ＸＹＺのような電話番号を事前に携帯電話機内に設定しておくことにより、緊急時の困難を解消できる。
（ホ）損害保険会社が例えば自動車保険証券を発行するような場合でも可能な限りペーパーレス化を計ることが可能となる。
【発明を実施するための最良の形態】
【０００８】  図１は本発明の一実施例携帯電話機を示す。図１（Ａ）は正面図、図１（Ｂ）は右側面図、図１（Ｃ）は背面図、図１（Ｄ）は左側面図を示す。【０００９】  図１において、符号２００は携帯電話機、１は表示画面、２は入力キイ群、３はアンテナ、４は送受話部、５はＱＱボタン・スイッチの中の赤ボタン、６はＱＱボタン・スイッチの中の青ボタンを表している。【００１０】  携帯電話機自体の通常の取り扱いと機能についての説明は省略するが、本発明においては、携帯電話機の例えば図示のように側面に２種類のＱＱボタン即ち赤ボタン５と青ボタン６とがもうけられている。赤ボタン５は警察に救援要請を行う「１１０番」と消防に救援要請を行う「１１９番」とに発呼するためのものであり、青ボタン６は、契約済の損害保険会社に発呼する場合とＳＯＳ送出を行う場合とに対処するためのものである。【００１１】  いずれのＱＱボタン・スイッチ５，６も、第１段階の移動を伴う操作と第２段階の移動を伴う操作との連続して移動を伴う操作によって、上記発呼やＳＯＳ送出の動作が発動される。【００１２】  即ち、赤ボタン５を携帯電話機本体に向かって一旦押込み、次いで赤ボタン５を当該押込んだ状態の下でアンテナ３の方に（即ち上方に）シフトすると「１１０番」への発呼となる。また当該赤ボタン５を上記押込んだ状態の下でアンテナ３と反対の方に（即ち下方に）シフトすると「１１９番」への発呼となる。【００１３】  同様に、青ボタン６を携帯電話機本体に向かって一旦押込み、次いで青ボタン６を当該押込んだ状態の下でアンテナ３の方に（即ち上方に）シフトすると損害保険会社への発呼となる。また当該青ボタン６を上記押込んだ状態の下でアンテナ３と反対の方に（即ち下方に）シフトするとＳＯＳ送出動作になる。【００１４】  図２は本発明の携帯電話機の利用態様を説明する図である。図中の符号２００Ａは損害保険会社が契約者に無償で譲渡ないしは無償で貸与する携帯電話機、２００Ｂは契約者が使用可能な状態にある携帯電話機、２０１は救援要請を受け付ける警察、２０２は救援要請を受け付ける消防（救急）、２０３は損害保険会社のコールセンタ、２０４は損害保険会社、２０５は損害保険会社との契約者であって上記の携帯電話機２００Ａを受取っている者、２０６は損害保険会社が契約者に手交する保険証券を表している。【００１５】  本発明にいう携帯電話機２００は、上述のように損害保険会社２０４から受取った携帯電話機２００Ａに限られるものではないが、本発明の１つの実施態様として、損害保険会社２０４が自己の所有している携帯電話機２００Ａを、契約者２０５に、携帯電話機２００Ｂとして、上述のように無償で譲渡ないしは貸与することが好ましい。当該携帯電話機２００Ａまたは２００Ｂには、当該損害保険会社との間の交信を正当なものか否かをチェックする秘密情報あるいは秘密情報付加装置が、いわば仕込まれていると考えてよい。【００１６】  契約者２０５あるいは契約者２０５に代わる者が携帯電話機２００Ｂを使用して、ＱＱボタン・スイッチ５を操作すると、図１を参照して説明した如く、警察２０１あるいは消防２０２に救援要請を発することとなる。また同様に携帯電話機２００Ｂを使用して、ＱＱボタン・スイッチ６を操作すると、図１を参照して説明した如く、損害保険会社に対して発呼することとなる。【００１７】  なお図２においては、図示を省略しているが、ＱＱボタン・スイッチ６を操作することによって、図１を参照して説明した如く、ＳＯＳを送出することとなる。【００１８】  損害保険会社のコールセンタ２０３と交信する場合としては、事故が発生した際に救援要請を行うあるいは当該事故に対処する当面の措置を尋ねる場合があり、また「事故発生などのような、緊急な状況」ではない状況の下で損害保険会社２０４と契約内容の照会や保険証券２０６の発行などを行う場合がある。【００１９】  前者の場合には、図示の「契約内容実行指示」を要請することとなり、図示の「ロードアシスタンスサービスや故障時緊急修理サービスや担保特約サービス」が実行されて、契約者２０５をバックアップすることとなる。【００２０】  後者の場合には、例えば図示の「契約内容照会」を行うようなこともあり、また逆に、損害保険会社２０４が、例えば保険証券２０６を発行するに当たって、契約者２０５の全員あるいは一部の者に対して指示を与えたりすることとなる。【００２１】  図３はＱＱボタン・スイッチの操作に対応する状況を説明する図である。図３は「１１０番」への救援要請の場合を例に挙げて示している。【００２２】  例えば事故発生時に、
（１）最初に、ＱＱボタン・スイッチ５を、携帯電話機２００の本体に向かって押込む（なお、この時点で、次の（２）項にいう測位データを受信する態勢に入ってもよい）。
（２）ＱＱボタン・スイッチ５を押込んだ状態の下でアンテナ３の方にシフトする。これによって「１１０番」への発呼が行われ、併せて、当該携帯電話機２００が位置している測位データの受信が行われる。
（３）次いで、測位データを含む情報が「１１０番」に送信される。
（４）「１１０番」側と、必要に応じて通話を行う。
（５）「１１０番」側との通話が終了する。なおこの通話終了に対応して、ＳＯＳ発生を行うようにしてもよい。
（６）緊急状況がおさまった状態で、携帯電話機の電源がオフされる。【００２３】  図４はＱＱボタンを有する携帯電話機の一実施例原理構成図である。図中の符号１１はＱＱボタン部、１２はＧＰＳ（全地球測位システム）送受部、１３は測位タグ読取り部、１４はＩＣタグ（電子タグ）情報送受部、１５はメモリ処理部を表している。また１６は送信データ作成部、１７は発呼部／着呼部、１８は通話／通信手段、１９は表示部、２０はＳＯＳ発生部、２１−１はメモリを表している。【００２４】  ＱＱボタン部１１においては上述した如く赤ボタン５と青ボタン６とをもつものとしている。ＧＰＳ送受部１２は、ＧＰＳ機能を用いて携帯電話機が現に存在している測位データを取得する部分であり、ＧＰＳ対応手段１２−１を持っていて、ＧＰＳ対応技術を利用すべく複数の測位衛星と交信する。また測位データ入手手段１２−２を備えていて、測位衛星との交信結果により得られた測位データが例えば図示の３つの入手手段のうちで最先に入手できたデータである場合に、当該ＧＰＳからの測位データを有効なものとして取得する。【００２５】  測位タグ読取り部１３は、地域の各所や各家庭や家庭内の壁・家具などに貼着されているバーコードや２次元タグなどの測位タグ（図示せず）から、携帯電話機を近接させて現に読取ろうとしている当該測位タグのもつ測位データを取得する部分であり、タグ対応手段１３−１を持っていて、測位タグをスキャンしデータを読取る光学的手段や電子的手段を備えている。また測位データ入手手段１３−２を備えていて、当該測位タグから得られた測位データが最先に入手できたデータである場合に、当該測位タグからの測位データを有効なものとして取得する。【００２６】  なお、測位タグは、図示を省略しているが、当該測位タグが貼着されている場所（位置）の経緯度や番地情報など（測位データ）をコード化して記述しているものである。勿論、当該測位データが貼着される場所（位置）ごとに、緊急通報業務に役立つ範囲での精度をもって、個々の測位タグに印刷などして記述されている。救援を希望する状況の下で、上述のＱＱボタンをオンした状態で当該携帯電話機を近付けて、当該測位タグが貼着されている場所（位置）の測位データを読込むことができるようにされている。【００２７】  ＩＣタグ情報送受部１４は、地域の各所や各家庭や家庭内の壁・家具などに貼着されているＩＣタグから、携帯電話機を近接させて現に読取ろうとしている当該ＩＣタグのもつ測位データを取得する部分であり、ＩＣタグ対応手段１４−１を持っていて、ＩＣタグを起動しＩＣタグとの間で情報交換を行う手段を備えている。当該ＩＣタグ対応手段１４−１内には、ＩＣタグを起動する手段を持つと共に、ＩＣタグから測位データを読取るのみでなく、当該ＩＣタグに対して当該ＩＣタグをアクセスした携帯電話機のＩＤ情報やアクセスした年月日・時刻などを書込むアクセス記録書き込み部１４−３を備えている。また測位データ入手手段１４−２を備えていて、当該ＩＣタグから得られた測位データが最先に入手できたデータである場合に、当該ＩＣタグからの測位データを有効なものとして取得する。【００２８】  なお、ＩＣタグは、図示を省略しているが、当該ＩＣタグが貼着されている場所（位置）の経緯度や番地情報や当該場所への目印情報など（測位データ）を所有している。救援を希望する状況の下で、上述のＱＱボタンをオンした状態で当該携帯電話機を近付けて、当該ＩＣタグが貼着されている場所（位置）の測位データを読込むことができる。なお、その際に、あるいは例えば当面の救急通報が終了した後でも良いが、当該ＩＣタグをアクセスした携帯電話機のＩＤ情報や年月日・時刻などを書込むようにする。【００２９】  メモリ処理部１５は、ＱＱボタンの操作に対応して、当該携帯電話機から送出すべき救援要請情報を、メモリ２１−１上に予め記憶されている情報の中から選択的に読出す部分であり、メモリアクセス手段１５−１を備えていて、操作されたＱＱボタンの操作の態様をチェックした上で、所望される救援要請情報を読出すよう、メモリ２１−１をアクセスする。またＳＯＳを知らせる閃光や音響や音声などを発生させるように指示する。なお、メモリ２１−１には、救援要請が１１０番への場合には電話番号としての「１１０」番や１１０番要請である旨を通知する救援要請情報などが当該携帯電話機のＩＤ情報と一緒に記憶されており、救援要請が１１９番への場合には電話番号としての「１１９」番や１１９番要請である旨を通知する情報などが当該携帯電話機のＩＤ情報と一緒に記憶されている。また損害保険会社などへの要請である場合には当該損害保険会社のコールセンタの電話番号や要請を通知する情報などが当該携帯電話機のＩＤ情報と一緒に記憶されている。なお、言うまでもなく、それらの救援要請情報が選択的に読出されて送信データ作成部１６に供給される。また、ＳＯＳ通報の場合には、メモリアクセス手段１５−１からＳＯＳ発生部２０に指示を与えるようにされる。【００３０】  送信データ作成部１６においては、救援要請の種類に対応して必要な救援要請情報がメモリ２１−１から読出されて、レジスタ１６−１上に書込まれる。その際に併せて、上述のＧＰＳ送受部１２や測位タグ読取り部１３やＩＣタグ情報送受部１４のいずれか１つから最先に取得されている測位データが当該レジスタ１６−１上にセットされ、当該時点での年月日・時刻データも一緒にセットされる。また例えば１１０番の場合には、メモリ２１−１からの内容にもとづいて発呼部／着呼部１７に「１１０」番が通知され、「１１０」番への発呼となる。【００３１】  発呼部／着呼部１７は、発呼に当たっては、例えば電話番号「１１９」番に対して発呼する。また応答の際の着呼があった場合に対処する。通話／通信手段１８は、必要に応じて通話を行うように働き、またデジタルデータを受取ったような場合にはその場合の処理を行う。表示部１９は、必要に応じて通信内容を表示したりする。ＳＯＳ発生部２０は、閃光や音響や音声などを発生する。【００３２】  なお、損害保険会社との交信については、図７において、あらためて記述する。【００３３】  図５は測位データ入手手段における処理説明図を示す。図５の測位データ入手手段の処理は、ＧＰＳ送受部１２や測位タグ読取り部１３やＩＣタグ情報送受部１４における夫々の測位データ入手手段に実質上共通な処理であるので、測位データ入手手段１２−２に対応して��るものとして説明する。
ステップ（Ｓ１）：ＱＱボタンがオンされると、とにかく、読取り部が発動され、測位衛    星との交信が開始される。
ステップ（Ｓ２）：測位データが入手できたか否かをチェックする。
ステップ（Ｓ３）：ＧＰＳ機能を用いての測位データが入手された場合に、当該ＧＰＳ機    能を用いて得られた測位データ（自己の測位データとする）が、他の測位タグを利用    して得られた測位データやＩＣタグを利用して得られた測位データ（両者を他の測位    データとする）よりも、より早く入手されたか否かのチェック処理が行われる。
ステップ（Ｓ４）：自己の測位データが最優先であるか否かの判定が行われる。最優先で    なかった場合には直ちにステップ（Ｓ６）に向かう。
ステップ（Ｓ５）：自己の測位データが最優先であった場合にのみ、上述の送信データ作    成部１６におけるレジスタ１６−１上にセットされる。そして、所定の時間経過後に    リセットされる。
ステップ（Ｓ６）：ステップ（Ｓ４）における最優先チェックの結果で非優先であること    を知ると、直ちに、ＧＰＳ機能による測位データ入手の処理を停止する（例えば衛星    との交信が途中であれば打切る）。そして、ＥＮＤとなる。【００３４】  なお、測位データ入手手段１２−２、１３−２、１４−２において、夫々自己の測位データの入手が他の測位データの入手にくらべて最優先であるか否かをチェックし、非優先である場合に、自己の測位データ入手手段における処理を打切るのは、いずれか１つの測位データが入手できたことを確認しかつ不必要な入手処理が持続されることをやめるためである。このようにして、測位データ入手の処理がＱＱボタンのオンによって一斉にあるいはバラバラに開始されたとしても、最も早く入手できた測位データを用いて、救援要請情報が作成されることになる。この間に、メモリ処理部１５も発動されていて、ＱＱボタンの操作の種類に応じて、メモリ２１−１から、所望される救援要請情報が送信データ作成部１６におけるレジスタ１６−１にセットされる。即ち、ＩＤ情報や年月日・時刻情報と一緒に、測位データや救援要請情報が作成される。【００３５】  図６はＱＱボタンの操作に伴って生じるメモリ処理部１５における処理説明図を示す。図中の符号１１，１２，１３，１４，１５，１５−１−ｉ，２１−１は夫々図４に対応している。また符号１５−３は読出しデータレジスタを示している。
ステップ（Ｓ７）：ＱＱボタンの赤あるいは青が押込まれる（第１段階の操作）と、図４    に示すＧＰＳ送受部１２と測位タグ読取り部１３とＩＣタグ情報送受部１４を起動す    ると共に、ステップ（Ｓ８）に向かう。
ステップ（Ｓ８）：第１段階で押込まれたＱＱボタンが赤ボタンであるか否かがチェック    される。赤ボタンであればステップ（Ｓ９）に進み、青ボタンであればステップ（Ｓ    １０）に向かう。
ステップ（Ｓ９）：押込まれた赤ボタンが上方に押上げられるか下方に押下げられる（第    ２段階の操作）。即ち救援要請が１１０番への場合には上方に押上げられ、また救援    要請が１１９番への場合には下方に押下げられる。この場合に、図４に示すＧＰＳ送    受部１２と測位タグ読取り部１３とＩＣタグ情報送受部１４とが発動される。
ステップ（Ｓ１０）：押込まれた青ボタンが上方に押上げられるか下方に押下げられる（    第２段階の操作）。即ち救援要請が損害保険会社への場合には上方に押上げられ、ま    た救援要請としてＳＯＳを発生するだけの場合には下方に押下げられる。
ステップ（Ｓ１１）：赤ボタンが押上げられているか否かがチェックされる。押上げられ    ている場合にはステップ（Ｓ１２）に進み、押下げられている場合にはステップ（Ｓ    １３）に向かう。
ステップ（Ｓ１２）：赤ボタンが押上げられている場合には、救援要請が１１０番への場    合であったこととなり、メモリ２１−１に格納されている所の１１０番関連の情報が    格納されている番地をアクセスするよう指示する。そして、図示の１１０番用メモリ    アクセス手段１５−１−１が発動され、メモリ２１−１から必要な情報が読出されて    、読出しデータレジスタ１５−３にセットされる。
ステップ（Ｓ１３）：赤ボタンが押下げられている場合には、救援要請が１１９番への場    合であったこととなり、メモリ２１−１に格納されている所の１１９番関連の情報が    格納されている番地をアクセスするよう指示する。そして、図示の１１９番用メモリ    アクセス手段１５−１−２が発動され、メモリ２１−１から必要な情報が読出されて    、読出しデータレジスタ１５−３にセットされる。
ステップ（Ｓ１４）：青ボタンが押上げられているか否かがチェックされる。押上げられ    ている場合にはステップ（Ｓ１５）に進み、押下げられている場合にはステップ（Ｓ    １６）に向かう、なお、ステップ（Ｓ１５）に進む場合には、上述のＧＰＳ送受部１    ２と測位タグ読取り部１３とＩＣタグ情報送受部１４とが発動される。
ステップ（Ｓ１５）：青ボタンが押上げられている場合には、救援要請が損害保険会社へ    の場合であったこととなり、メモリ２１−１に格納されている所の損害保険会社あて    関連の情報が格納されている番地をアクセスするよう指示する。そして、図示の損保    用メモリアクセス手段１５−１−３が発動され、メモリ２１−１から必要な情報が読    出されて、読出しデータレジスタ１５−３にセットされる。
ステップ（Ｓ１６）：青ボタンが押下げられている場合には、救援要請としてＳＯＳを発    生するだけであったこととなり、メモリ２１−１に格納されている所のＳＯＳ発生の    ための閃光発生指示データや音響発生指示データや音声発生指示データが格納されて    いる番地をアクセスするよう指示する。そして、図示のＳＯＳ用メモリアクセス手段    １５−１−４が発動され、メモリ２１−１から必要な情報が読出されて、読出しデー    タレジスタ１５−３にセットされる。なお、ＳＯＳ発生の場合にはメモリ２１−１か    ら読出されたデータは、読出しデータレジスタ１５−３にセットされた上で、図４に    示すＳＯＳ発生部２０に、ＳＯＳ発生指示と共に転送され、ＳＯＳ発生部２０内に存    在する閃光発生手段（図示せず）や音響発生手段（図示せず）や音声発生手段（図示    せず）を発動し、夫々ＳＯＳを通知するに足る閃光や音響や音声が発生される（即ち    図４に示す送信データ作成部１６に転送されない）。【００３６】  図７は損害保険会社との交信を行う場合の処理説明図を示す。図中の符号１５，１５−−１−３，１６，１６−１，１７，１８，１９，２１−１は図４に対応し、１５−４はハードウェアの形で存在する秘密情報付加手段、２１−２はリード／ライト可能メモリ、２２は損害保険会社用情報、２２−１はＩＤ情報部、２２−２は秘密交信情報プリント可否指示データ部、２２−３はプリント出力履歴記録部、２２−４は秘密交信情報（要部のみで可）記録部を表している。【００３７】  また図示のステップ（Ｓ１５）は、図６に示した損保コールセンタへの発呼用に対応するステップ（Ｓ１５）と同じステップである。【００３８】  損害保険会社への救援要請に対応しては、メモリ２１−１に格納されている損害保険会社あて関連の情報内に、救援要請を表わす情報と一緒に当該特定の損害保険会社との間でのみ適用する「秘密情報α」も格納されている。当該秘密情報αは、損害保険会社がユーザ（当該損害保険会社から当該携帯電話機を提供されて所持しているユーザ）に当該携帯電話機を提供するに先立って、当該損害保険会社が上述の損害保険会社あて関連の情報内に書き込んでおいている。また当該提供された携帯電話機内にはハードウェアの形で秘密情報付加手段１５−４が、いわば秘密の状態で（ユーザなどにその存在を知らせない状態で）組込まれている。そして、ステップ（Ｓ１７）に示す如く、当該秘密情報付加手段１５−４は、起動された際に、当該損害保険会社との間でのみ適用する「秘密情報β」を秘密状態で出力するようにされている。そして、秘密情報αと秘密情報βとを用いて作成される秘密情報γが送信データ作成部１６を介して、損害保険会社のコールセンタ（損保コールセンタ）に送出される。そして、当該送出時に、図示のステップ（Ｓ１８）におけるチェックの際のために保持される。【００３９】  なお、損害保険会社への救援要請の際には、先に行った例えば１１９番への救援要請の際に測位データが既に獲得されている場合がある。この場合には、改めてＧＰＳ送受部１２や測位タグ読取り部１３やＩＣタグ情報送受部１４から新しい測位データを獲得する必要はない。即ち、既に獲得されている測位データをそのまま用いれば足りる。この場合には、図７に示すレジスタ１６−１には既に獲得されている測位データが消去されることなく存在しており、当該測位データが送出される。勿論、損害保険会社への通信（救援要請の場合を含む）に当たって、改めて測位データを獲得する必要がないような場合には、ＧＰＳ送受部１２や測位タグ読取り部１３やＩＣタグ情報送受部１４を起動しないように指示する手段をもつことができる。【００４０】  損害保険会社への発呼については図４や図６に記述した通りであるが、損害保険会社からの着呼があった場合について述べる。当該着呼があったことは、発呼部／着呼部１７から図７に示すステップ（Ｓ１８）に通知される。
ステップ（Ｓ１８）：言うまでもなく、損害保険会社からの通信には、当該通信中に、上    述した秘密情報αと秘密情報βとを用いて作成されている秘密情報γが含まれている    。そして、携帯電話機側においても当該秘密情報γが保持されている。この状態の下    で、損害保険会社からの通信の正当性をチェックする。
ステップ（Ｓ１９）：正当であれば、ステップ（Ｓ２０）に進み、非正当であればＥＮＤ    になる。ＥＮＤの場合には、必要に応じて損害保険会社に非正当を通知するようにさ    れる。
ステップ（Ｓ２０）：損害保険会社からの通信情報が受信される。そして必要に応じて表    示部１９にもその一部が表示されると共に、当該通信情報がリード／ライト可能メモ    リ２１−２上に秘密交信情報記録部２２−４として記録される。当該秘密交信情報記    録部２２−４としては、救援要請に応答した情報の場合には当面すべき指示である。    また損害保険会社から契約者（提供した携帯電話機の所持者）に対しての例えば証券    発行や一般通知のような場合には当該情報内容の一部（要部）であり、そして必要に    応じて契約者に対して当該損害保険会社の本支店・代理店に出向いて秘密交信情報の    詳細をプリント出力すべきことが指示される。この場合には、秘密交信情報プリント    可否指示データ部２２−２に「プリント可」が記録される。この場合、一般にはユー    ザ（契約者を含む）に秘密裡に当該「プリント可」の如き記録が行われることが望ま    れる。契約者が当該損害保険会社の本支店・代理店に出向いてプリント出力が行われ    た場合には、プリント出力履歴記録部２２−３にプリント出力履歴情報が記録されて    ゆく。即ち３回程度の所定の回数だけプリント可とされる。【００４１】  図８は損害保険会社の側における処理説明図を示す。図中の符号２３は通話／通信手段、２４は着呼部、２５は発呼部、２６は非正当通報情報発生部、２７はメモリ、２８は表示部、２９は処理対応セクション、３０は秘密情報付加手段、３１は指示情報（秘密情報を含む）、３２は通信／証券情報（秘密情報を含む）、３３は通信情報作成部（通信先ＩＤを含ませる）、３４は損害保険会社情報管理センタを表す。【００４２】  携帯電話機側との間の通話／通信は、通話／通信手段２３を介して行われる。着呼の場合には着呼部２４において着呼が受け付けられる。発呼の場合には発呼部２５から発呼される。
ステップ（Ｓ２１）：着呼があった場合には、当該携帯電話機側からの秘密情報γについ    てのチェックが行われる。
ステップ（Ｓ２２）：秘密情報γのチェックから、自己損害保険会社が提供した携帯電話    機からの着呼があることが正であるとすると、ステップ（Ｓ２３）に進み、非正であ    るとステップ（Ｓ２４）に向かう。
ステップ（Ｓ２３）：ステップ（Ｓ２２）が正であれば、携帯電話機からの情報を受信す    る。
ステップ（Ｓ２４）：ステップ（Ｓ２２）が否であれば、当該着呼が正当でなかった旨を    、発呼した携帯電話機に対して非正当発呼であったことを通報するが、その処理が終    了したか否かがチェックされる。ＹＥＳの場合にはＥＮＤとなり、ＮＯの場合には非    正当通報情報発生部２６と発呼部２５とを介して発呼した携帯電話機に返送される。    なお非正当通報情報発生部２６には当該返送を行う先の携帯電話機の電話番号が着呼    部２４から通知されて付加された上で、非正当であった旨の音声情報が用意されてい    る。【００４３】  上記ステップ（Ｓ２３）において受信された情報は、メモリ２７に格納される。また、必要に応じて表示部２８において表示される。またメモリ２７の内容も必要に応じて読出されて表示される。
ステップ（Ｓ２５）：メモリ２７に格納された情報は読出されて当該情報の内容に応じて    、各処理対応セクションに振分けられる。【００４４】  処理対応セクション２９に情報が振分けられると、振分けられたセクションにおいて、通報してきた携帯電話機に対する指示情報３１が用意される。また通信／証券情報３２も必要に応じて用意される。当該情報３１や３２には、秘密情報付加手段３０から秘密情報γが秘密裡に付加されることは言うまでもない。【００４５】  図示の情報管理センタ３４は当該損害保険会社における情報管理センタと考えてよく、当該情報管理センタ３４には、各契約者対応の情報が管理されており、また個々の契約者に発行すべき証券や当該契約者に対して通報しようとする情報などが管理されている。情報管理センタ３４は、図示の通信／証券情報３２を作成するに当たって、必要な情報を出力し、また処理対応セクション２９から情報を受け入れる。【００４６】  情報作成部３３においては、指示情報３１や通信／証券情報３２を受取り、通信先の携帯電話機のＩＤ情報が付加される。そして作成された所の送信情報は、発呼部２５と通話／通信手段２３を介して、携帯電話機の側に送信される。また、送信情報は必要に応じて表示部２８において表示される。【００４７】  なお、損害保険会社が複数の携帯電話機に一斉に通知するような場合には、周知の同報通信の手法が用いられることは言うまでもない。【００４８】  損害保険会社から契約者（当該損害保険会社が提供した携帯電話機の所持者）に対して行う通報には、当該携帯電話機に電話技術をもって行うには情報量が多大であり過ぎることがある。また、損害保険会社が携帯電話機を介して例えば契約者との間の各種証券を発行することを考慮した場合には、その情報量が多大であることもあり得るが第３者が誤って入手するとトラブルを生じることもある。【００４９】  このような場合のために、図７と関連して述べておいた如く、損害保険会社が契約者に対して、当該契約者が損害保険会社の本支店・代理店に出向いてプリント出力を受取るようにうながすようにされる。この場合には、損害保険会社は、図７を参照して説明した如く、前もって、損害保険会社用情報２２を携帯電話機に対して送出する。【００５０】  当該損害保険会社用情報２２を受信した当該携帯電話機の所持者（契約者）は、当該携帯電話機を持って、当該損害保険会社の本支店・代理店に出向いて携帯電話機を提示するステップ（Ｓ２６）：契約者が携帯電話機を窓口に提示する。
ステップ（Ｓ２７）：窓口において、プリント出力を依頼する。
ステップ（Ｓ２８）：窓口においては当該携帯電話機が所定の装置にセットされるが、そ    のセットに対応して当該携帯電話機の持つ秘密情報γがチェックされる。
ステップ（Ｓ２９）：勿論秘密情報γに対するチェックが正当であることを条件に、当該    携帯電話機のメモリ２１−２（図７参照）に先に格納されている秘密交信情報プリン    ト可否指示データ部２２−２の内容が読出され、プリント可か否かがチェックされる    。またＩＤ情報がチェックされる。
ステップ（Ｓ３０）：損害保険会社が当該契約者（当該携帯電話機所持者）に対して発行    すべき情報の内容や証券などがプリント出力される。当該プリントされるべき通報の    内容や証券は、当該損害保険会社の情報管理センタ３４から、プリント内容として供    給される。勿論、携帯電話機が支店において提示された場合には、プリント時に支店    に対して本店から秘密裡に転送される。
ステップ（Ｓ３１）：プリント出力が行われて当該契約者に受渡されると、当該携帯電話    機内でプリント出力履歴記録部２２−３上に、プリント出力を行った回数が記録する    ようにされる。上述の如く、３回程度の所定回数だけプリント出力をすることが許さ    れる。
ステップ（Ｓ３２）：プリント出力履歴が行われたことが確認され、その旨が情報管理セ    ンタ３４にも通知される。【００５１】  上述の如き損害保険会社の本支店・代理店へ出向いてのプリント出力を行うまでもなく簡単な即ち情報量の少ないプリントを行う必要がある場合には、損害保険会社が全情報を携帯電話機のメモリ２１−２（図７参照）に転送しておき、契約者が例えばパーソナルコンピュータなどを利用してプリント出力を行うことができる。【００５２】  上述の如き損害保険会社の本支店・代理店へ出向いてのプリント出力や、パーソナルコンピュータなどを利用してのプリント出力を可能にすることにより、自動車保険等の保険証券の如き各種の証券をデジタル化し、ペーパーレス化することが可能となる。【００５３】  図９は携帯電話機の一実施例内部構成を示す。
図中の符号１２，１３，１４，１５，１７，１８，１９，２０，２１は図４に対応している。そして、符号１００は携帯電話機、３００はＧＰＳ機能に対応する人工衛星群、３０１は測位タグであって当該貼布されている位置の測位データが描かれているもの、３０２はＩＣタグであって当該存在位置の測位データが記憶されているもの、３０３はプリンタであって損害保険会社の本支店・代理店などに設備されているものを表している。【００５４】  また１１０は携帯電話機内のプロセッサ部、１１１はＱＱボタン情報通報部、１１２はプリント出力対応部、１１３は電話機能部を表している。【００５５】  プロセッサ部１１０は携帯電話機における各種機能に対応する処理を、図示を省略している各種処理プログラム（メモリ２１内に格納されている）にもとづいて、実行する。【００５６】  ＱＱボタン情報通報部１１１は、ＱＱボタンが操作された状況を判定して、プロセッサ部１１０に通知する。これによって、プロセッサ部１１０はＧＰＳ送受部１２や測位タグ読取り部１３やＩＣタグ情報送受部１４やメモリ処理部１５を発動する。【００５７】  プリント出力対応部１１２は、図７の最下端に示す「損保センタ窓口」として示している損害保険会社の本支店・代理店窓口において、図８に関連して説明したプリント出力を行う処理に対応するものである。また電話機能部１１３は、図４に示す発呼部／着呼部１７や通話／通信手段１８に対応する処理を行う機能部である。【００５８】  携帯電話機１００内で実行される処理は、図４、図５、図６、図７、図８に関連して説明している通りである。
【図面の簡単な説明】
【００５９】
【図１】本発明の一実施例携帯電話機を示す。
【図２】本発明の携帯電話機の利用態様を説明する図である。
【図３】ＱＱボタン・スイッチの操作に対応する状況を説明する図である。
【図４】ＱＱボタンを有する携帯電話機の一実施例原理構成図である。
【図５】測位データ入手手段における処理説明図を示す。
【図６】ＱＱボタンの操作に伴って生じるメモリ処理部における処理説明図を示す。
【図７】損害保険会社との交信を行う場合の処理説明図を示す。
【図８】損害保険会社の側における処理説明図を示す。
【図９】携帯電話機の一実施例内部構成を示す。
【符号の説明】
【００６０】１：表示画面、
２：入力キイ群
３：アンテナ
４：送受話部
５：ＱＱボタン・スイッチ（赤ボタン）
６：ＱＱボタン・スイッチ（青ボタン）
１１：ＱＱボタン部
１２：ＧＰＳ送受部
１３：測位タグ読取り部
１４：ＩＣタグ情報送受部
１５：メモリ処理部
１６：送信データ作成部
１７：発呼部／着呼部
１８：通話／通信手段
１９：表示部
２０：ＳＯＳ発生部
２１−１：メモリ
２００：携帯電話機
２０１：警察
２０２：消防（救急）
２０３：損害保険会社のコールセンタ
２０４：損害保険会社
２０５：契約者
２０６：保険証券
【図１】
2006229920.tif 000003
【図２】
2006229920.tif 000004
【図３】
2006229920.tif 000005
【図４】
2006229920.tif 000006
【図５】
2006229920.tif 000007
【図６】
2006229920.tif 000008
【図７】
2006229920.tif 000009
【図８】
2006229920.tif 000010
【図９】
2006229920.tif 000011